(57)【要約】【課題】開口部を隙間無く確実に閉塞できる扉の開閉機構の提供を図る。【解決手段】扉１９と回転アーム１３とをバネ部材２１で連結して扉１９を一定の姿勢（中立姿勢）に支持し、さらに、回転アーム１３の閉回転途中で扉１９の回転先端部１９ｂが扉１９の回転基端部１９ａよりも先にハウジング開口部１１ａの周縁に当接するように、扉１９の中立姿勢を設定した。これにより、回転アーム１３の閉回転途中で扉１９の回転先端部１９ｂがハウジング開口部１１ａの周縁に当接したのち扉１９の回転基端部１９ａがハウジング開口部１１ａの周縁に当接するまでハウジング開口部１１ａの周縁をスライドする。そのため、扉１９はその回転先端部１９ｂから回転基端部１９ａの全域でハウジング開口部１１ａの周縁と当接することとなる。つまり、扉１９によってハウジング開口部１１ａを隙間無く確実に閉塞できる。【選択図】　　　図７
2004114784.tif 000002
【特許請求の範囲】
【請求項１】
開口部（１１ａ）の近傍に回転自在に軸支した回転アーム（１３）の回転先端側に、前記開口部（１１ａ）を開閉するための扉（１９）を回転自在に軸支し、
前記回転アーム（１３）に対して前記扉（１９）が所定の中立姿勢に復元するように前記扉（１９）と前記回転アーム（１３）とをバネ部材（２１）で連結し、
前記回転アーム（１３）の閉回転途中で前記扉（１９）の回転先端部（１９ｂ）が前記扉（１９）の回転基端部（１９ａ）よりも先に前記開口部（１１ａ）の周縁に当接するように、前記扉（１９）の中立姿勢を設定したことを特徴とする扉の開閉機構。
【請求項２】
請求項１記載の扉（１９）の開閉機構であって、
前記開口部（１１ａ）の周縁には、前記回転アーム（１３）の閉回転終点で前記扉（１９）の回転先端部（１９ｂ）を受け入れて係止する係止部（３３）を備えることを特徴とする扉（１９）の開閉機構。
【発明の詳細な説明】
【０００１】
【発明の属する技術分野】
本発明は、開口部を開閉する扉の開閉機構に関する。
【０００２】
【従来の技術】
従来より、開口部の近傍に扉を回転自在に軸支して、この扉で開口部を開閉する開閉機構がある。この種の扉の開閉機構にあっては、回転軸の取付位置など扉の取付位置によっては、開口部周縁と扉との間に隙間が生じ、該開口部を完全に閉塞することができない虞がある。そのため、一般的には扉の取付精度を高く維持することで対応している。
【０００３】
【発明が解決しようとする課題】
本発明はこのような従来技術を背景に為されたものであり、開口部を隙間無く確実に閉塞できる扉の開閉機構を提供することを目的とする。
【０００４】
【課題を解決するための手段】
請求項１記載の発明にあっては、開口部の近傍に回転自在に軸支した回転アームの回転先端側に、前記開口部を開閉するための扉を回転自在に軸支し、
前記回転アームに対して前記扉が所定の中立姿勢に復元するように前記扉と前記回転アームとをバネ部材で連結し、
前記回転アームの閉回転途中で前記扉の回転先端部が前記扉の回転基端部よりも先に前記開口部の周縁に当接するように、前記扉の中立姿勢を設定したことを特徴とするものである。
【０００５】
請求項２記載の発明にあっては、請求項１記載の扉の開閉機構であって、前記開口部の周縁には、前記回転アームの閉回転終点で前記扉の回転先端部を受け入れて係止する係止部を備えることを特徴とするものである。
【０００６】
【発明の効果】
請求項１記載の発明によれば、扉の回転先端部は、回転アームの閉回転途中で開口部周縁に当接し、扉の回転基端部が開口部周縁に当接するまで開口部周縁に当接摺動する。そのため、全閉状態で、扉はその回転先端部から回転基端部に亘って開口部周縁と当接することとなり、これにより開口部が隙間無く確実に閉塞される。
【０００７】
請求項２記載の発明によれば、請求項１記載の発明の効果に加え、開口部周縁には、回転アームの閉回転終点で扉の回転先端部を受け入れて係止する係止部を備えるため、閉回転終点で扉がロックされ、扉に外力が加わっても開いてしまうようなことがない。
【０００８】
【発明の実施の形態】
以下、本発明の扉の開閉機構の一実施形態を図面を基に説明する。図１は本発明の扉の開閉機構を備える扉付きディスプレーカバーの使用状態を示す車体前部の縦断面図、図２は扉付きディスプレーカバーの斜視図、図３は扉付きディスプレーカバーの底面図、図４は扉付きディスプレーカバーの側面透視図、図５は扉付きディスプレーカバーの後面透視図、図６はバネの近傍を示す概略斜視図、図７は本発明の扉の開閉機構の作用を示す図であって、分図ａは扉の全開状態を示す図、分図ｂは扉の閉回転途中を示す図、分図ｃは扉の全閉状態を示す図である。
【０００９】
図１において、符号１は車両のフロントウインドウ、符号３はインストルメントパネル、符号５はインストルメントパネル３の裏側に配設されたディスプレー、符号７は本発明の扉の開閉機構を具現化した扉付きディスプレーカバーである。
【００１０】
ディスプレーカバー７は、インストルメントパネル３の取付開口部に取付固定されていて、扉１９を下側に開くことで（図１中２点鎖線参照）、下方に位置するディスプレーを露出し、ディスプレー５の表示内容をフロントウインドウ１の表示エリア９を介して乗員に視認可能とするものである。
【００１１】
具体的には、ディスプレーカバー７は、図２〜図５に示すように、インストルメントパネル３に取付固定される枠状のハウジング１１と、ハウジング１１の開口部１１ａの一側に回転軸１５を中心に回転自在に軸支された回転アーム１３、１３と、この回転アーム１３の回転先端側に該回転アーム１３の回転方向と同一方向に回転自在に軸支された扉１９と、この扉１９を所定の中立姿勢に保持するバネ部材としての捻りコイルバネ２１と、を備えている。
【００１２】
以下、ディスプレーカバー７を図２および図３〜５を参照しつつより詳しく説明する。
【００１３】
ハウジング１１は、上面視略四角形の枠型に形成されて、略中央部に開口部１１ａを備えている。ハウジング１１の裏面には、開口部１１ａを囲むようにリブ１１ｂ、１１ｃ、１１ｄ、１１ｅが突設されており、対向する一対のリブ１１ｂ、１１ｃに、回転アーム１３の回転軸１５が支承されている。なお、リブ１１ｅには、駆動伝達機構（ギア群３５，３７，３９，４１）を介して回転アーム１３を電動回転させる駆動モータＭ、回転アーム１３の回転終点位置を検出する検出スイッチ２３、この検出スイッチ２３による検出結果を受けて駆動モータＭへの電力供給を遮断する制御回路２５、が固定されている。
【００１４】
回転アーム１３、１３には、回転先端側にさらに連結軸１７が設けられており、この連結軸１７に扉１９の回転支承部２０、２０が支承されることで、扉１９が回転アーム１３の回転方向と同一方向に回転自在になっている。
【００１５】
このように回転アーム１３に回転自在に軸支された扉１９は、図７ａ、ｂに示すように捻りコイルバネ２１によって中立姿勢に保持されている。詳しくは、捻りコイルバネ２１は、コイル部２１ａと一対のアーム部２１ｂ、２１ｃとを備えてなり、コイル部２１ａが扉１９の連結軸１７に装着され且つ一方のアーム部２１ｂが扉１９に設けられた突起２７と係合し他方のアーム部２１ｃが回転アーム１３に設けられた突起２９と係合している。これにより、扉１９に外力が働いていない状態では扉１９は回転アーム１３に対して一定の姿勢（中立姿勢）に保持される（図７ａ、ｂ参照）。そして、この扉１９に外力が加わると扉１９が連結軸１７を中心として外力が加わる方向に沿って回転する（図７ｃ参照）。このとき捻りコイルバネ２１には扉１９を中立姿勢に維持しようとする復元力が働いているため、外力と復元力が均衡する位置に扉１９が静止する。
【００１６】
ここで、この実施形態では、扉１９の中立姿勢は、図７ｃ→図７ｂに示すように回転アーム１３の閉回転途中で扉１９の回転先端部１９ｂが扉１９の回転基端部１９ａよりも先にハウジング開口部１１ａの周縁に当接するように設定されている。
【００１７】
さて、実際に、駆動モータＭに電力を供給して回転アーム１３を閉回転（図７ａ→図７ｂ→図７ｃ）すると、まず、図７ｂに示すように回転アーム１３の閉回転途中で扉１９の回転先端部１９がハウジング開口部１１ａの周縁に当接する。扉１９の回転先端部１９ｂがハウジング開口部１１ａの周縁に当接した後は、扉１９は連結軸１７を中心として回転しつつ、その回転先端部１９ｂがハウジング開口部１１ａの周縁を当接摺動していく。
【００１８】
最終的に、扉１９の回転基端部１９ａがハウジング開口部１１ａの周縁に当接する位置で、回転軸１５に設けられたウイング３１の検出面３１ａが検出スイッチ２３に当接することで検出スイッチ２３がＯＮし、駆動モータＭへの電力供給が遮断される。これにより扉１９の閉回転を終了する。ここで、ハウジング開口部１１ａの周縁部には、回転アーム１３の閉回転終点で扉１９の回転先端部１９ｂを受け入れて係止する係止部としての溝３３が設けられている。そのため、閉回転終点において扉１９が溝３３により係止され、扉１９に外力が加わっても扉１９が開いてしまうようなことがない。また、このようなロック構造により、本実施形態のような電動扉の場合、駆動モータＭおよび駆動伝達部（ギア群３５，３７，３９，４１）に過負荷が加わらず、装置の寿命を延ばすことができる利点もある。
【００１９】
一方、駆動モータＭに電力を供給して回転アーム１３を開回転（図７ｃ→図７ｂ→図７ａ）すると、連結軸１７を中心に中折れした扉１９が、図７ｃ→図７ｂに示すように捻りコイルバネ２１の復元力を受けて中立方向に復元しつつ、扉１９の回転先端部１９ｂがハウジング開口部１１ａの周縁をスライドしていく。図７ｂに示す位置で、扉１９の回転先端部１９ｂがハウジング開口部１１ａの周縁から離れると、扉１９は中立姿勢に復元してこの中立姿勢のまま回転アーム１３の開回転に伴って全開する。このとき検出面３１ｂが検出スイッチ２３をＯＮして、駆動モータＭへの電力供給が遮断される。これにより扉１９の開回転が完了する。
【００２０】
なお、符号３５は駆動モータＭの出力軸に設けられたウォーム、符号３７はウォーム３５と噛合するウォームホイール、符号３９はウォームホイール３７と同軸に設けられたピニオンギア、符号４１は回転アーム１３、１３の回転軸１５に固定されピニオンギア３９と噛合するギアである。
【００２１】
このようにこの実施形態の扉１９の開閉機構によれば、この回転アーム１３に軸支された扉１９が所定の中立姿勢に復元するように扉１９と回転アーム１３とをバネ部材２１で連結し、回転アーム１３の閉回転途中で扉１９の回転先端部１９ｂがハウジング開口部１１ａの周縁に当接するように扉１９の中立姿勢を設定してあるため、回転アーム１３の閉回転において、まず扉１９の回転先端部１９ｂがハウジング開口部１１ａの周縁に当接し、この扉１９の回転先端部１９ｂは扉１９の回転基端部１９ａがハウジング開口部１１ａの周縁に当接するまでハウジング開口部１１ａの周縁をスライドしていく。そのため、全閉時には、扉１９はその回転先端部１９ｂから回転基端部１９ａの全域に亘ってハウジング開口部１１ａの周縁と当接することとなる。つまり、扉１９によってハウジング開口部１１ａを隙間無く確実に閉塞することができる。
【００２２】
また、この実施形態の扉１９の開閉機構によれば、ハウジング開口部１１ａの周縁部に、回転アーム１３の閉回転終点で扉１９の回転先端部１９ｂを受け入れて係止する溝３３を設けたため、閉回転終点で扉１９がロックされ、扉１９に外力が加わっても開いてしまうようなことがない。
【００２３】
特にこの実施形態のように、略水平面から下向きに開閉する扉１９の開閉機構にあっては、上述のような溝３３による扉１９のロック機構により、扉１９の安全性が高める効果がある。また、この実施形態のように、電動扉１９の場合、溝３３による扉１９のロック機構により、駆動モータＭおよび駆動伝達部（ギア群３５，３７，３９，４１）に過負荷が加わらず、装置の寿命を延ばすことができる利点もある。
【図面の簡単な説明】
【図１】図１は本発明の扉の開閉機構を備える扉付きディスプレーカバーの使用状態を示す車体前部の縦断面図。
【図２】図２は扉付きディスプレーカバーの斜視図。
【図３】図３は扉付きディスプレーカバーの底面図。
【図４】図４は扉付きディスプレーカバーの側面透視図。
【図５】図５は扉付きディスプレーカバーの後面透視図。
【図６】図６はバネの近傍を示す概略斜視図。
【図７】図７は本発明の扉の開閉機構の作用を示す図であって、分図ａは扉の開状態を示す図、分図ｂは扉の閉回転途中を示す図、分図ｃは扉の閉状態を示す図。
【符号の説明】
１１ａ　開口部
１３　回転アーム
１９　扉
１９ａ　回転基端部
１９ｂ　回転先端部
２１　捻りコイルバネ（バネ部材）
３３　溝（係止部）
【図１】
2004114784.tif 000003
【図２】
2004114784.tif 000004
【図３】
2004114784.tif 000005
【図４】
2004114784.tif 000006
【図５】
2004114784.tif 000007
【図６】
2004114784.tif 000008
【図７】
2004114784.tif 000009